(57)【要約】【課題】反転ローラ対を相互に離間させることなく、当該反転ローラ対にシートを進入させることができる画像記録装置を提供する。【解決手段】当該装置は、第１搬送路６５を搬送向き１５に搬送される記録用紙に画像記録する記録部２４と、記録用紙を挟持して搬送向き１５または第２搬送路６７へ向けた向きへ搬送する反転ローラ対４３とを備える。第１搬送路６５は、記録部２４と反転ローラ対４３との間において、第１上側ガイド部材２８と第１下側ガイド部材２９とによって区画されている。第２搬送路６７は、第２上側ガイド部材３１と第２下側ガイド部材３２とによって区画されている。第２下側ガイド部材３２の第１上面３３の、第１下側ガイド部材２９の上面３０に対する傾斜角θ１の角度は、第２下側ガイド部材３２の第２上面３５の、第１下側ガイド部材２９の上面３０に対する傾斜角θ２の角度よりも小さい。【選択図】図３
2014047055.tif 000002
【特許請求の範囲】
【請求項１】
第１搬送路を案内されるシートを挟持して搬送向きへ搬送する搬送ローラ対と、
上記搬送ローラ対よりも上記搬送向きの下流側に設けられており、シートに画像を記録する記録部と、
上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側から、上記第１搬送路の下側を通って、上記搬送ローラ対よりも上記搬送向きの上流側において上記第１搬送路と接続された第２搬送路へ搬送する反転ローラ対と、を備え、
上記第１搬送路は、上記搬送ローラ対よりも上記搬送向きの下流側且つ上記反転ローラ対よりも上記搬送向きの上流側において、第１上側ガイド部材と、上記第１上側ガイド部材と対向された第１下側ガイド部材とによって区画されており、
上記第２搬送路は、第２上側ガイド部材と、上記第２上側ガイド部材と対向された第２下側ガイド部材とによって区画されており、
上記第２下側ガイド部材において上記第２搬送路に面した上流側の上流側ガイド面の、上記第１下側ガイド部材において上記第１搬送路に面したガイド面に対する傾斜角度は、上記第２下側ガイド部材において上記第２搬送路に面した上記上流側ガイド面よりも下流側の下流側ガイド面の、上記第１下側ガイド部材において上記第１搬送路に面したガイド面に対する傾斜角度よりも小さい画像記録装置。
【請求項２】
第１搬送路を案内されるシートを挟持して搬送向きへ搬送する搬送ローラ対と、
上記搬送ローラ対よりも上記搬送向きの下流側に設けられており、シートに画像を記録する記録部と、
上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側から、上記第１搬送路の下側を通って、上記搬送ローラ対よりも上記搬送向きの上流側において上記第１搬送路と接続された第２搬送路へ搬送する反転ローラ対と、
上記第２搬送路に配置されており、シートを挟持して上記搬送ローラに向けて搬送する再搬送ローラ対と、を備え、
上記第１搬送路は、上記搬送ローラ対よりも上記搬送向きの下流側且つ上記反転ローラ対よりも上記搬送向きの上流側において、第１上側ガイド部材と、上記第１上側ガイド部材と対向された第１下側ガイド部材とによって区画されており、
上記第２搬送路は、第２上側ガイド部材と、上記第２上側ガイド部材と対向された第２下側ガイド部材とによって区画されており、
上記反転ローラ対と上記再搬送ローラ対との間における上記第２下側ガイド部材の上記第２搬送路に面した上流側のガイド面の、上記第１下側ガイド部材において上記第１搬送路に面したガイド面に対する傾斜角度は、側面視において上記反転ローラ対によるシートの挟持位置と上記再搬送ローラ対によるシートの挟持位置とを結ぶ直線の、上記第１下側ガイド部材において上記第１搬送路に面したガイド面に対する傾斜角度よりも小さい画像記録装置。
【請求項３】
上記第１上側ガイド部材に設けられており、上記記録部よりも上記搬送向きの下流側且つ上記反転ローラ対よりも上記搬送向きの上流側における上記第１搬送路と上記第２搬送路の接続位置において、シートに上側から当接する押さえ部を更に備え、
上記押さえ部の下端は、
上記反転ローラ対による挟持位置よりも下側まで突出されている請求項１または２に記載の画像記録装置。
【請求項４】
上記押さえ部は、
その下端が上記反転ローラ対による挟持位置よりも下側まで突出された第１位置と、上記第１位置よりも上側に位置する第２位置との間で移動可能である請求項３に記載の画像記録装置。
【請求項５】
上記搬送ローラ対がシートを挟持して搬送する力は、上記反転ローラ対がシートを挟持して搬送する力よりも大きい請求項１から４のいずれかに記載の画像記録装置。
【請求項６】
上記第１下側ガイド部材のガイド面は上記反転ローラ対によるシートの挟持位置よりも低い請求項１から５のいずれかに記載の画像記録装置。
【請求項７】
上記反転ローラ対は、上記記録部よりも上記搬送向きの下流側に設けられており、
上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されている請求項１から６のいずれかに記載の画像記録装置。
【請求項８】
上記記録部よりも上記搬送向きの下流側且つ上記反転ローラ対よりも上記搬送向きの上流側における上記第１搬送路と上記第２搬送路の接続位置よりも上記搬送向きの上流側に設けられており、シートを挟持して上記搬送向きへ搬送する排出ローラ対を更に備え、
上記排出ローラ対がシートを挟持して上記搬送向きへ搬送する力は、上記反転ローラ対がシートを挟持して上記第２搬送路へ搬送する力よりも大きい請求項７に記載の画像記録装置。
【請求項９】
上記反転ローラ対よりも上記搬送向きの下流側に設けられた第３上側ガイド部材を更に備え、
上記第３上側ガイド部材のガイド面の傾斜角度は、上記第２下側ガイド部材において上記第２搬送路に面した上流側のガイド面の、上記第１下側ガイド部材において上記第１搬送路に面したガイド面に対する傾斜角度以上である請求項７または８に記載の画像記録装置。
【発明の詳細な説明】
【技術分野】
【０００１】
本発明は、シートに画像を記録する画像記録装置に関し、特に、シートの両面に画像を記録可能な画像記録装置に関する。
【背景技術】
【０００２】
従来より、シートに画像を記録する画像記録装置が知られている。
【０００３】
また、近年、画像記録装置は、シートの両面に画像を記録することができるものが増えている。このような画像記録装置の一例として特許文献１においては、給紙トレイから送り出されたシートが搬送ローラ対によって記録部へ搬送される。記録部においてシートの表面に画像が記録される。表面に画像が記録されたシートは、記録部の下流側で反転ローラ対によってスイッチバックされる。スイッチバックされたシートは、記録部の下方かつ給紙トレイの上方に設けられた再供給搬送路に搬送される。再供給搬送路に搬送されたシートは、再供給搬送路を経て再び搬送ローラ対へ送られる。搬送ローラ対によって記録部に到達したシートは、表面に画像を形成されたときと同様にして、記録部によって裏面に画像が記録される。その後、両面に画像が記録されたシートは反転ローラ対によって排出トレイに排出される。
【先行技術文献】
【特許文献】
【０００４】
【特許文献１】特開２００９−２０８８６２号公報
【発明の概要】
【発明が解決しようとする課題】
【０００５】
また、近年、画像記録装置の小型化が要請されている。一方で、画像記録装置は、できるだけ大きなサイズのシートに画像を記録可能であることが要請されている。上記のような２つの要請を何れも満足するような画像記録装置においては、以下のような状態となる。つまり、表面に画像記録された後に反転ローラ対によってスイッチバックされたシートは、再供給搬送路を通過して再び搬送ローラ対へ送られて、裏面に画像記録される。そして、画像記録されたシートの先端が再び反転ローラ対に戻ってきたとき、当該シートのサイズが大きいと、当該シートの後端付近が反転ローラ対から抜けきっておらず、反転ローラ対に挟持された状態となっている場合がある。
【０００６】
しかしながら、裏面に画像記録されたシートの先端を、反転ローラ対の挟持位置に進入させる際に、反転ローラ対から再供給搬送路へ向けて搬送されるシートの後端付近が、当該シートの経路を塞いでしまった場合に、当該シートを反転ローラ対による挟持位置よりも下流側へ搬送できなくなってしまうおそれがある。
【０００７】
本発明は、上記問題に鑑みてなされたものであり、その目的は、シートの後端付近が挟持された反転ローラ対に当該シートの先端を進入させ、当該シートを反転ローラ対の挟持位置よりも下流側へ搬送することができる画像記録装置を提供することにある。
【課題を解決するための手段】
【０００８】
(1)  本発明に係る画像記録装置は、第１搬送路を案内されるシートを挟持して搬送向きへ搬送する搬送ローラ対と、上記搬送ローラ対よりも上記搬送向きの下流側に設けられており、シートに画像を記録する記録部と、上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側から、上記第１搬送路の下側を通って、上記搬送ローラ対よりも上記搬送向きの上流側において上記第１搬送路と接続された第２搬送路へ搬送する反転ローラ対と、を備える。上記第１搬送路は、上記搬送ローラ対よりも上記搬送向きの下流側且つ上記反転ローラ対よりも上記搬送向きの上流側において、第１上側ガイド部材と、上記第１上側ガイド部材と対向された第１下側ガイド部材とによって区画されている。上記第２搬送路は、第２上側ガイド部材と、上記第２上側ガイド部材と対向された第２下側ガイド部材とによって区画されている。上記第２下側ガイド部材において上記第２搬送路に面した上流側の上流側ガイド面の、上記第１下側ガイド部材において上記第１搬送路に面したガイド面に対する傾斜角度は、上記第２下側ガイド部材において上記第２搬送路に面した上記上流側ガイド面よりも下流側の下流側ガイド面の、上記第１下側ガイド部材において上記第１搬送路に面したガイド面に対する傾斜角度よりも小さい。
【０００９】
本構成によれば、第２搬送路へ搬送された後で画像記録されたシートの先端は、第１下側ガイド部材に支持されつつ搬送向きに搬送される。一方、反転ローラ対に挟持されたシートの後端付近は、第２下側ガイド部材において第２搬送路に面した上流側ガイド面に支持されつつ第２搬送路を搬送ローラ対に向けて搬送される。
【００１０】
また、本構成によれば、第２下側ガイド部材において第２搬送路に面した上流側ガイド面の、第１下側ガイド部材において第１搬送路に面したガイド面に対する傾斜角度（次段落で第１傾斜角度と記す。）は、第２下側ガイド部材において第２搬送路に面した下流側ガイド面の、第１下側ガイド部材において第１搬送路に面したガイド面に対する傾斜角度（次段落で第２傾斜角度と記す。）よりも小さい。
【００１１】
これにより、反転ローラ対に挟持されたシートの後端付近は、第１傾斜角度に沿った状態となる。そのため、シートの後端付近が反転ローラ対へ向けて搬送されるシートの先端の経路を塞ぐ可能性を低くすることができる。その結果、当該シートの先端を適正に反転ローラ対による挟持位置へ進入させ、当該挟持位置よりも下流側へ搬送することができる。また、搬送ローラ対よりも搬送向きの上流側の第２搬送路と第１搬送路との接続位置付近において、第２搬送路に面したガイド面の傾斜角度が第２傾斜角度であることにより、第２搬送路と第１搬送路とからなる経路の曲率半径を大きく維持することができる。
【００１２】
(2)  本発明に係る画像記録装置は、第１搬送路を案内されるシートを挟持して搬送向きへ搬送する搬送ローラ対と、上記搬送ローラ対よりも上記搬送向きの下流側に設けられており、シートに画像を記録する記録部と、上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側から、上記第１搬送路の下側を通って、上記搬送ローラ対よりも上記搬送向きの上流側において上記第１搬送路と接続された第２搬送路へ搬送する反転ローラ対と、上記第２搬送路に配置されており、シートを挟持して上記搬送ローラに向けて搬送する再搬送ローラ対と、を備える。上記第１搬送路は、上記搬送ローラ対よりも上記搬送向きの下流側且つ上記反転ローラ対よりも上記搬送向きの上流側において、第１上側ガイド部材と、上記第１上側ガイド部材と対向された第１下側ガイド部材とによって区画されている。上記第２搬送路は、第２上側ガイド部材と、上記第２上側ガイド部材と対向された第２下側ガイド部材とによって区画されている。上記反転ローラ対と上記再搬送ローラ対との間における上記第２下側ガイド部材の上記第２搬送路に面した上流側のガイド面の、上記第１下側ガイド部材において上記第１搬送路に面したガイド面に対する傾斜角度は、側面視において上記反転ローラ対によるシートの挟持位置と上記再搬送ローラ対によるシートの挟持位置とを結ぶ直線の、上記第１下側ガイド部材において上記第１搬送路に面したガイド面に対する傾斜角度よりも小さい。
【００１３】
本構成において、反転ローラ対と再搬送ローラ対との間における第２下側ガイド部材の第２搬送路に面した上流側のガイド面の、第１下側ガイド部材において第１搬送路に面したガイド面に対する傾斜角度は、上記（１）と同様に、小さく構成されている。これにより、反転ローラ対に挟持されたシートの後端付近は、当該傾斜角度、つまり小さい傾斜角度に沿った状態となる。その結果、当該シートの後端付近が反転ローラ対へ向けて搬送される当該シートの先端の経路を塞ぐことを防止することができる。
【００１４】
(3)  本発明に係る画像記録装置は、上記第１上側ガイド部材に設けられており、上記記録部よりも上記搬送向きの下流側且つ上記反転ローラ対よりも上記搬送向きの上流側における上記第１搬送路と上記第２搬送路の接続位置において、シートに上側から当接する押さえ部を更に備える。上記押さえ部の下端は、上記反転ローラ対による挟持位置よりも下側まで突出されている。
【００１５】
本構成によれば、第２面に画像記録されたシートの先端は、押さえ部に上側から押さえられつつ反転ローラ対による挟持位置へ導かれる。つまり、シートの先端は、反転ローラ対による挟持位置よりも下側から反転ローラ対による挟持位置へ導かれる。ここで、第１面に画像記録されたシートの先端が第２搬送路を経てから第２面に画像記録されて反転ローラ対付近まで搬送されてきた際に、シートの後端が反転ローラ対から抜けきっていない状態では、シートの後端付近は、反転ローラ対に挟持されつつ第２搬送路へ搬送されている。これにより、反転ローラ対による挟持位置よりも下側、つまり第２搬送路に近い側に位置するシートの先端は、シートの後端付近の記録面に沿って反転ローラ対による挟持位置へ導かれる。つまり、本構成によれば、シートの先端をシートの後端付近に沿わせることによって反転ローラ対による挟持位置へ容易に進入させることができる。
【００１６】
(4)  上記押さえ部は、その下端が上記反転ローラ対による挟持位置よりも下側まで突出された第１位置と、上記第１位置よりも上側に位置する第２位置との間で移動可能である。
【００１７】
本構成によれば、押さえ部を第１位置に維持することによって上記（３）の効果を奏することができる。一方、シートが搬送ローラ対及び反転ローラ対に挟持されているときに、押さえ部が第２位置に移動することによって、シートに対する押さえ部の抵抗が第１位置のときよりも小さくなり、スムーズに搬送することができる。また、シートの後端付近のみが押さえ部と当接されているときに、押さえ部を第１位置に移動させることによって、シートを反転ローラ対によって第２搬送路へ導くことができる。
【００１８】
(5)  上記搬送ローラ対がシートを挟持して搬送する力は、上記反転ローラ対がシートを挟持して搬送する力よりも大きい。
【００１９】
本構成によれば、シートの先端が第２搬送路を経て搬送ローラ対に挟持されたときに、シートの後端付近が反転ローラ対に挟持された状態であっても、シートの後端を反転ローラ対から容易に引き抜いて、当該シートを適正に搬送することができる。
【００２０】
(6)  上記第１下側ガイド部材のガイド面は上記反転ローラ対によるシートの挟持位置よりも低い。
【００２１】
本構成によれば、第２面に画像記録されたシートの先端は、第１下側ガイド部材に支持されつつ、反転ローラ対による挟持位置よりも下側から反転ローラ対による挟持位置へ導かれる。ここで、第１面に画像記録されたシートの先端が第２搬送路を経てから第２面に画像記録されて反転ローラ対付近まで搬送されてきた際に、シートの後端が反転ローラ対から抜けきっていない状態では、シートの後端付近は、反転ローラ対に挟持されつつ第２搬送路へ搬送されている。これにより、反転ローラ対による挟持位置よりも下側、つまり第２搬送路に近い側に位置するシートの先端は、シートの後端付近の記録面に沿って反転ローラ対による挟持位置へ導かれる。つまり、本構成によれば、上記（３）と同様に、シートの先端をシートの後端付近に沿わせることによって反転ローラ対による挟持位置へ容易に進入させることができる。
【００２２】
(7)  上記反転ローラ対は、上記記録部よりも上記搬送向きの下流側に設けられている。上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されている。
【００２３】
本構成によれば、記録部の直下でシートが重なることなく、シートに画像を記録することができる。
【００２４】
(8)  本発明に係る画像記録装置は、上記記録部よりも上記搬送向きの下流側且つ上記反転ローラ対よりも上記搬送向きの上流側における上記第１搬送路と上記第２搬送路の接続位置よりも上記搬送向きの上流側に設けられており、シートを挟持して上記搬送向きへ搬送する排出ローラ対を更に備える。上記排出ローラ対がシートを挟持して上記搬送向きへ搬送する力は、上記反転ローラ対がシートを挟持して上記第２搬送路へ搬送する力よりも大きい。
【００２５】
本構成によれば、排出ローラ対がシートを挟持して搬送する力は、反転ローラ対がシートを挟持して搬送する力よりも強い。そのため、本構成によれば、排出ローラ対によって搬送向きに搬送されて反転ローラ対に到達したシートの先端を、反転ローラ対による挟持位置へ容易に押し込むことができる。また、シートの先端が排出ローラ対に挟持されたときに、シートの後端付近が反転ローラ対に挟持された状態であっても、シートの後端を容易に反転ローラ対から引き抜くことができる。
【００２６】
(9)  本発明に係る画像記録装置は、上記反転ローラ対よりも上記搬送向きの下流側に設けられた第３上側ガイド部材を更に備える。上記第３上側ガイド部材のガイド面の傾斜角度は、上記第２下側ガイド部材において上記第２搬送路に面した上流側のガイド面の、上記第１下側ガイド部材において上記第１搬送路に面したガイド面に対する傾斜角度以上である。
【００２７】
シートが第２下側ガイド部材の第１搬送路に面したガイド面に支持された状態で反転ローラ対に挟持されると、傾斜したガイド面に支持されたシートは、反転ローラ対よりも搬送向きの下流側において、当該ガイド面の傾斜角度に沿って上側に延びた状態となる。これにより、反転ローラ対よりも搬送向きの下流側において、シートが、シートよりも上側に配置されたガイド部材に引っかかるおそれがある。そこで、本構成では、第３上側ガイド部材のガイド面の傾斜角度が第２下側ガイド部材のガイド面の傾斜角度以上に構成されている。これにより、反転ローラ対よりも搬送向きの下流側において空間が確保されるため、シートが第３上側ガイド部材に引っかかる可能性を低くすることができる。
【発明の効果】
【００２８】
本発明によれば、シートの後端付近が挟持された反転ローラ対にシートの先端を進入させ、当該シートを反転ローラ対の挟持位置よりも下流側へ搬送することができる。
【図面の簡単な説明】
【００２９】
【図１】図１は、複合機１０の斜視図である。
【図２】図２は、プリンタ部１１の内部構造を模式的に示す縦断面図である。
【図３】図３は、第１下側ガイド部材２９の上面３０と第２下側ガイド部材３２の第１上面３３及び第２上面３５との関係を模式的に示す縦断面図である。
【図４】図４は、制御部が記録用紙１２に対する両面画像記録を実行する際の処理の手順を示すフローチャートである。
【図５】図５は、図２から各ローラ対５９、６６、４３を抽出した図であり、（Ａ）には長さＬ１を説明するために記録用紙１２が記されており、（Ｂ）には長さＬ２を説明するために搬送向き１５、１６が記されている。
【図６】図６は、変形例１におけるプリンタ部１１の内部構造を模式的に示す縦断面図である。
【図７】図７は、第１下側ガイド部材２９の上面３０と第２下側ガイド部材３２の第１上面３３及び第２上面３５と反転ローラ対４３と再搬送ローラ対７０との関係を模式的に示す縦断面図である。
【図８】図８は、第１下側ガイド部材２９の上面３０と第３上側ガイド部材３４の下面２７との関係を模式的に示す縦断面図である。
【図９】図９は、変形例５におけるプリンタ部１１の内部構造を模式的に示す縦断面図である。
【発明を実施するための形態】
【００３０】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３１】
［複合機１０の全体構造］
図１に示されるように、複合機１０（本発明の画像記録装置の一例）は、下部にプリンタ部１１を備えている。複合機１０は、ファクシミリ機能及びプリント機能などの各種の機能を有している。プリント機能としては、記録用紙１２（図２参照）の両面に画像を記録する両面画像記録機能を有している。プリンタ部１１には、正面に開口１３が形成されている。記録用紙１２が載置される給送トレイ２０及び排出トレイ２１が、開口１３から前後方向８に挿抜可能である。
【００３２】
図２に示されるように、給送トレイ２０の上側に給送ローラ２５が設けられている。給送ローラ２５は、給送トレイ２０に載置された記録用紙１２に上側から当接可能である。給送ローラ２５は、不図示のモータから駆動力を付与されて回転される。これにより、給送トレイ２０に載置された記録用紙１２が、第１搬送路６５を通って搬送ローラ対５９に向けて給送される。
【００３３】
［第１搬送路６５］
図２に示されるように、給送トレイ２０の後端部から第１搬送路６５が延出されている。第１搬送路６５は、湾曲部と直線部とを備える。湾曲部は、第１搬送路６５のうち、給送トレイ２０の後端部から搬送ローラ対５９に亘って湾曲しつつ延びた部分である。直線部は、第１搬送路６５のうち、搬送ローラ対５９から記録部２４及び反転ローラ対４３を経て排出トレイ２１に亘って概ね直線状に延びた部分である。
【００３４】
給送トレイ２０に収容された記録用紙１２は、湾曲部を下方から上方へＵターンするように搬送された後、直線部を搬送されて記録部２４に搬送される。記録部２４により画像記録が行われた記録用紙１２は、直線部を搬送されて排出トレイ２１に排出される。つまり、記録用紙１２は、図２に一点鎖線の矢印で示される搬送向き１５に搬送される。
【００３５】
第１搬送路６５の湾曲部は、所定間隔を隔てて互いに対向する外側ガイド部材１８と内側ガイド部材１９とによって区画されている。また、第１搬送路６５の直線部は、所定間隔を隔てて互いに対向する第１上側ガイド部材２８と第１下側ガイド部材２９とによって区画されている。つまり、第１搬送路６５は、記録部２４よりも搬送向き１５の下流側且つ反転ローラ対４３よりも搬送向き１５の上流側において、第１上側ガイド部材２８と第１下側ガイド部材２９とによって区画されている。
【００３６】
外側ガイド部材１８、内側ガイド部材１９、第１上側ガイド部材２８、及び第１下側ガイド部材２９は、図２における紙面に垂直な方向、つまり左右方向９に延びている。本実施形態において、第１下側ガイド部材２９の上面３０は、前後方向８及び左右方向９に沿った平面である。ここで、第１下側ガイド部材２９の上面３０は、第１搬送路６５に面しており、第１搬送路６５を搬送される記録用紙１２をガイドするガイド面である。
【００３７】
［搬送ローラ対５９、排出ローラ対６６、及び反転ローラ対４３］
図２に示されるように、記録部２４よりも搬送向き１５の上流側には、搬送ローラ６０及びピンチローラ６１よりなる搬送ローラ対５９が設けられている。ピンチローラ６１は、ばねなどによって搬送ローラ６０に圧接されている。これにより、ピンチローラ６１は、搬送ローラ６０に従動して回転する。
【００３８】
記録部２４よりも搬送向き１５の下流側には、排出ローラ６２及び拍車６３よりなる排出ローラ対６６が設けられている。拍車６３が、ばねなどによって排出ローラ６２に圧接されている。これにより、拍車６３は、排出ローラ６２に従動して回転する。
【００３９】
排出ローラ対６６よりも搬送向き１５の下流側には、反転ローラ４５及び拍車４６よりなる反転ローラ対４３が設けられている。拍車４６が、ばねなどによって反転ローラ４５に圧接されている。これにより、拍車４６は、反転ローラ４５に従動して回転する。また、本実施形態において、反転ローラ対４３による記録用紙１２の挟持位置４３Ａは、第１下側ガイド部材２９の上面３０よりも高い位置である。
【００４０】
各ローラ対５９、６６、４３は、第１搬送路６５を案内される記録用紙１２を挟持した状態で回転することによって、記録用紙１２を搬送向き１５及び搬送向き１５と逆向きへ搬送する。搬送ローラ６０は、不図示のモータから駆動力を付与されて回転される。正転駆動するモータから駆動力を付与された搬送ローラ６０は、第２回転向きに回転する。ここで、第２回転向きは、記録用紙１２を搬送向き１５に搬送させる回転向きである。逆転駆動するモータから駆動力を付与された搬送ローラ６０は、第２回転向きとは逆向きの第１回転向きに回転する。ここで、第１回転向きは、記録用紙１２を搬送向き１５とは逆向きに搬送させる回転向きである。
【００４１】
なお、搬送ローラ６０に駆動力を付与するモータと、給送ローラ２５に駆動力を付与するモータとは、同一であってもよいし異なっていてもよい。モータが同一である場合、当該モータと搬送ローラ６０及び給送ローラ２５との間には、駆動伝達機構（不図示）が設けられる。そして、搬送ローラ６０及び給送ローラ２５の回転の有無や回転の向きが、当該駆動伝達機構によって適正に切り替えられる。
【００４２】
搬送ローラ６０、排出ローラ６２、及び反転ローラ４５は、不図示のプーリやベルトを介して或いは不図示のギヤを介して連結されている。これにより、搬送ローラ６０が第２回転向きに回転すると、排出ローラ６２及び反転ローラ４５も第２回転向きに回転し、搬送ローラ６０が第１回転向きに回転すると、排出ローラ６２及び反転ローラ４５も第１回転向きに回転する。
【００４３】
なお、両面画像記録の際、後述するように、第１搬送路６５を搬送される記録用紙１２は、排出ローラ対６６と反転ローラ対４３との間でスイッチバックされ、反転ローラ対４３によって後述する第２搬送路６７へ向けて搬送される。
【００４４】
本実施形態において、搬送ローラ対５９及び排出ローラ対６６の搬送力は、反転ローラ対４３の搬送力よりも大きい。ここで、搬送力とは、各ローラ対５９、６６、４３が記録用紙１２を挟持して搬送する力であり、例えば各ローラ対５９、６６、４３を構成するローラの回転速度や材質、ローラ対の挟持力などによって決定される。
【００４５】
［記録部２４］
図２に示されるように、搬送ローラ対５９の搬送向き１５の下流側且つ排出ローラ対６６の搬送向き１５の上流側には、記録部２４が設けられている。記録部２４の下側且つ記録部２４と対向する位置には、プラテン４２が設けられている。プラテン４２は、第１搬送路６５を搬送される記録用紙１２を支持する。本実施形態において、記録部２４は、プラテン４２に支持された記録用紙１２に公知のインクジェット方式で画像を記録する。記録部２４は、記録用紙１２にインク滴を吐出する複数のノズル３９が形成された記録ヘッド３８と、記録ヘッド３８を搭載するキャリッジ４０とを備えている。
【００４６】
キャリッジ４０は、プリンタ部１１のフレームなどによって、左右方向９へ往復動可能に支持されている。キャリッジ４０は、公知のベルト機構を介してキャリッジ駆動用モータ（不図示）と連結されている。キャリッジ４０は、キャリッジ駆動用モータから駆動力が伝達されることによって左右方向９に往復動される。プラテン４２に記録用紙１２が支持されている状態で、キャリッジ４０が往復動される。キャリッジ４０が往復動されているときに、記録ヘッド３８からインク滴が吐出される。これにより、プラテン４２に支持されている記録用紙１２に画像が記録される。なお、記録部２４が記録用紙１２に画像を記録する方式はインクジェット方式に限らず、例えば、記録部２４は電子写真方式で記録用紙１２に画像を記録してもよい。
【００４７】
［経路切替部材４１］
図２に示されるように、経路切替部材４１（本発明の押さえ部の一例）が、第１搬送路６５において、排出ローラ対６６と反転ローラ対４３との間に設けられている。経路切替部材４１は、補助ローラ４７、４８、フラップ４９、及び軸８７を備えている。経路切替部材４１は、第１上側ガイド部材２８に取り付けられている。つまり、経路切替部材４１は、第１上側ガイド部材２８に設けられている。
【００４８】
フラップ４９は、軸８７から概ね搬送向き１５に延出されており、軸８７に回動可能に支持されている。拍車状の補助ローラ４７、４８が、フラップ４９に回転可能に支持されている。フラップ４９は、記録用紙１２を排出トレイ２１に排出するのに適した排出位置（図２に破線で示される位置、本発明の第２位置の一例）と、先端が排出姿勢よりも下方に位置する反転位置（図２に実線で示される位置、本発明の第１位置の一例）との間で回動する。
【００４９】
フラップ４９は、待機状態においては自重によって反転位置である。フラップ４９は、第１搬送路６５を搬送される記録用紙１２の先端と当接して持ち上げられると排出姿勢に回動する。搬送される記録用紙１２の後端（搬送向き１５の上流端）が補助ローラ４７を通過すると、フラップ４９は、自重によって排出位置から反転位置に回動する。これにより、搬送される記録用紙１２の後端が、下側に移動する。その結果、搬送される記録用紙１２の後端は、後述する第２搬送路６７へ向く。この状態において、反転ローラ４５の第２回転向きの回転が継続されると、記録用紙１２は搬送向き１５に搬送されて排出トレイ２１に排出される。一方、反転ローラ４５の回転向きが第１回転向きに切り替えられると、記録用紙１２は、搬送向き１５と逆向きに搬送されて第２搬送路６７に導かれる。以上より、反転ローラ対４３は、第２回転向きに回転することによって記録用紙１２を搬送向き１５に搬送し、第１回転向きに回転することによって記録用紙１２を搬送向き１５と逆向き、つまり第２搬送路６７へ搬送する。なお、フラップ４９は、上述した方法以外によって回動してもよい。例えば、フラップ４９は、不図示のフラップ回動用モータから駆動力を付与されることによって回動してもよい。
【００５０】
反転位置のフラップ４９は、前後方向８に対して、前側が下側となるように傾斜している。これにより、反転位置のフラップ４９の下端（詳細には、補助ローラ４８の下端）４９Ａは、反転ローラ対４３による記録用紙１２の挟持位置４３Ａ（以下、反転ローラ対４３の挟持位置４３Ａとも記す。）よりも低い位置となっている。つまり、反転位置のフラップ４９は、その下端４９Ａが反転ローラ対４３の挟持位置４３Ａよりも下側まで突出されている。すなわち、経路切替部材４１の下端４９Ａは、反転ローラ対４３の挟持位置４３Ａよりも下側まで突出されている。
【００５１】
排出位置のフラップ４９は、概ね前後方向８に沿っている。つまり、排出位置のフラップ４９の前端部は、反転位置のときよりも上側に位置している。フラップ４９（詳細にはフラップ４９に支持された補助ローラ４７、４８）は、後述する第１接続位置３６に位置する記録用紙１２に上側から当接する。
【００５２】
［第２搬送路６７］
第２搬送路６７は、第１搬送路６５の直線部の下側、且つ給送ローラ２５の上側を通る経路である。第２搬送路６７は、排出ローラ対６６よりも搬送向き１５の下流側且つ反転ローラ対４３よりも搬送向き１５の上流側の第１接続位置３６（本発明の接続位置の一例）から分岐され、搬送ローラ対５９よりも搬送向き１５の上流側の第２接続位置３７で第１搬送路６５と合流する経路である。つまり、第２搬送路６７は、第１接続位置３６及び第２接続位置３７において第１搬送路６５と接続されている。第１回転向きに回転する反転ローラ対４３は、記録用紙１２を、第２搬送路６７へ向けて搬送し、第２搬送路６７において第１接続位置３６から第２接続位置３７の向きである搬送向き１６（図２及び図５（Ｂ）に二点鎖線で示される向き）に搬送する。
【００５３】
第２搬送路６７は、所定間隔を隔てて互いに対向する第２上側ガイド部材３１と第２下側ガイド部材３２とによって区画されている。第２上側ガイド部材３１と第２下側ガイド部材３２とは、図２における紙面に垂直な方向、つまり左右方向９に延びている。
【００５４】
本実施形態において、第２下側ガイド部材３２の上面は、前後方向８及び左右方向９に沿った面に対して傾斜した平面である。第２下側ガイド部材３２の上面は、搬送向き１６の上流側の第１上面３３と、第１上面３３と連続した面であって搬送向き１６の下流側の第２上面３５とで構成されている。ここで、第２下側ガイド部材３２の第１上面３３及び第２上面３５は、第２搬送路６７に面しており、第２搬送路６５を搬送される記録用紙１２をガイドするガイド面である。
【００５５】
第２下側ガイド部材３２は、第１上面３３と第２上面３５とが以下に詳述されるような関係となるように構成されている。具体的には、図３に示されるように、第２下側ガイド部材３２は、角θ１の角度が角θ２の角度よりも小さくなるように構成されている。ここで、角θ１は、第２下側ガイド部材３２の第１上面３３の、第１下側ガイド部材２９の上面３０に対する傾斜角である。また、角θ２は、第２下側ガイド部材３２の第２上面３５の、第１下側ガイド部材２９の上面３０に対する傾斜角である。
【００５６】
［画像記録制御］
以下、複合機１０の全体動作を制御する制御部が記録用紙１２に対する両面画像記録を実行する際の処理の手順が、図４のフローチャートに基づいて説明される。なお、経路切替部材４１のフラップ４９の初期位置は、排出位置であるとする。また、本実施形態において、制御部は、第１搬送路６５に設けられた不図示のセンサによる記録用紙１２の先端の検知タイミングと、搬送ローラ６０に設けられた不図示のエンコーダによって算出される搬送ローラ６０の回転量とに基づいて、記録用紙１２の現在位置を判断する。
【００５７】
また、本実施形態において、制御部は、以下のような記録用紙１２に対しての画像記録を制御する。つまり、画像記録される記録用紙１２は、その搬送向き１５に沿った長さＬ１（図５（Ａ）参照、本発明のシート長の一例）が、長さＬ２（図５（Ｂ）参照）よりも長い。ここで、長さＬ１は、記録用紙１２が給送トレイ２０に載置された状態における記録用紙１２の前後方向８に沿った長さであり、例えば、搬送向き１５に搬送される記録用紙１２の先端が第１搬送路６５に配置された不図示のセンサに検知されてから当該記録用紙１２の後端が当該センサに検知されるまでの搬送ローラ６０の回転量によって求めることができる。なお、制御部は、上記センサの検知及び搬送ローラ６０の回転量によって求める方法以外で、長さＬ１を認識してもよい。例えば、制御部は、印刷前にユーザが操作パネル１７（図１参照）を操作することによって指定した記録用紙１２のサイズに基づいて、長さＬ１を認識してもよい。
【００５８】
また、長さＬ２は、反転ローラ対４３の挟持位置４３Ａから、第１接続位置３６及び第２搬送路６７を通って第２接続位置３７へ向かい、第２接続位置３７から第１搬送路６５を通って反転ローラ対４３の挟持位置４３Ａへ戻ってくるまでの搬送経路の長さである。長さＬ２は、第１搬送路６５及び第２搬送路６７の長さや、第１接続位置３６及び第２接続位置３７の位置や、反転ローラ対４３の配置位置などで決まる設計値である。
【００５９】
例えば、操作パネル１７（図１参照）の操作により両面印刷が指示されると、制御部は、給送ローラ２５を回転させる。また、制御部は、搬送ローラ６０を第１回転向き、つまり記録用紙１２を搬送向き１５とは逆向きに搬送させる向きに回転させる。これにより、排出ローラ６２及び反転ローラ４５も第１回転向きに回転する。
【００６０】
給送ローラ２５が回転することによって、給送トレイ２０に載置された記録用紙１２が第１搬送路６５に給送される（Ｓ１０）。給送される記録用紙１２の先端が搬送ローラ対５９に到達すると（Ｓ２０）、制御部１３０は、以下に説明するレジスト処理を実行する。
【００６１】
制御部は、時間をカウントするタイマ回路を備えており、記録用紙１２の先端が搬送ローラ６０と当接してから予め設定された時間だけ、搬送ローラ６０の第１回転向きの回転を維持する。これにより、搬送ローラ６０と当接した記録用紙１２の斜行を正す所謂レジスト処理が実行される（Ｓ３０）。レジスト処理の後、制御部は、給送ローラ２５を停止させる（Ｓ４０）。その後、制御部は、搬送ローラ６０を第２回転向きに回転させる（Ｓ５０）。これにより、排出ローラ６２及び反転ローラ４５も第２回転向きに回転する。また、これにより、記録用紙１２は搬送ローラ対５９によって搬送向き１５に搬送される。
【００６２】
次に、制御部は、第１面（表面）が印刷される記録用紙１２の頭出し処理を実行する（Ｓ６０）。具体的には、制御部は、搬送向き１５に搬送される記録用紙１２の先端が記録部２４と対向する印刷開始位置に到達すると、搬送ローラ６０の回転を停止させて、記録用紙１２を停止させる。ここで、印刷開始位置とは、例えば、記録用紙１２の画像記録領域における先端が、記録ヘッド３８に形成された複数のノズル３９のうち搬送向き１５の上流端に位置するノズル３９と対向する位置である。
【００６３】
頭出し処理（Ｓ６０）が完了すると、制御部は、記録用紙１２の第１面に対する画像記録を実行する（Ｓ７０）。詳細には、制御部は、記録部２４を制御してキャリッジ４０を左右方向９に移動させつつノズル３９からプラテン４２に支持された記録用紙１２に向けてインク滴を吐出させる処理と、搬送ローラ６０を制御して記録用紙１２を所定の改行幅だけ搬送向き１５に搬送させる処理とを交互に実行する。
【００６４】
画像記録の完了後、制御部は、搬送ローラ６０を第２回転向きに回転させて、記録用紙１２を搬送向き１５に搬送させる（Ｓ８０）。これにより、記録用紙１２は、記録部２４よりも搬送向き１５の下流側に搬送される。記録用紙１２は、第２回転向きに回転している排出ローラ対６６に挟持され、反転ローラ対４３へ向けて搬送される。
【００６５】
記録用紙１２の先端が経路切替部材４１に到達すると、記録用紙１２は、上面を経路切替部材４１にガイドされ、且つ下面を第１下側ガイド部材２９の上面３０にガイドされつつ、搬送向き１５に搬送される。その後、記録用紙１２の先端が第１下側ガイド部材２９の上面を通過して、第２下側ガイド部材３２の第１上面３３に到達すると、記録用紙１２は、上面を経路切替部材４１にガイドされ、且つ下面を第２下側ガイド部材３２の第１上面３３にガイドされつつ、搬送向き１５に搬送され、反転ローラ対４３による挟持位置４３Ａに導かれる。これにより、記録用紙１２は、反転ローラ対４３の挟持位置４３Ａに斜め下側から進入する。具体的には、記録用紙１２は、第２下側ガイド部材３２の傾斜角度、つまり角θ１の角度を維持しつつ、反転ローラ対４３の挟持位置４３Ａに進入する。
【００６６】
記録用紙１２の先端が反転ローラ対４３に挟持されると、経路切替部材４１は搬送する記録用紙１２に押し上げられることにより、反転位置から排出位置に回動する。この状態では、反転ローラ４５が第２回転向きに回転しているため、記録用紙１２の排出トレイ２１に向けての搬送が継続される。その後、制御部は、搬送向き１５に搬送される記録用紙１２の後端（記録用紙１２の搬送向き１５の上流端）が補助ローラ４７と補助ローラ４８との間の規定位置、つまり第１接続位置３６に到達したと判断すると、搬送用モータ７１を停止する（Ｓ９０）。記録用紙１２の後端が規定位置に到達すると、記録用紙１２が経路切替部材４１を押し上げる力よりも経路切替部材４１の自重による力が大きくなる。これにより、経路切替部材４１が排出位置から反転位置へ回動する。その結果、搬送向き１５に搬送される記録用紙１２の後端は、補助ローラ４８によって下側へ押され、第２搬送路６７側へ向けられる。
【００６７】
なお、記録用紙１２は、排出ローラ対６６及び反転ローラ対４３の双方に挟持されているとき、排出位置の経路切替部材４１に上面をガイドされつつ、搬送される。この際、記録用紙１２に対するフラップ４９の抵抗は反転位置のときよりも小さいため、記録用紙１２はスムーズに搬送される。また、記録用紙１２は、第１搬送路６５における排出ローラ対６６と反転ローラ対４３との間において、第１下側ガイド部材２９の上面３０に当接しつつ搬送される。つまり、記録用紙１２は、第１下側ガイド部材２９の上面３０によってガイドされる。ここで、上述したように、第１下側ガイド部材２９の上面３０は、反転ローラ対４３の挟持位置４３Ａよりも低位置である。よって、第１下側ガイド部材２９の上面３０にガイドされた記録用紙１２は、反転ローラ対４３の挟持位置４３Ａに斜め下側から進入する。
【００６８】
記録用紙１２の後端が第１接続位置３６（規定位置）に位置していることを条件として、制御部は、ローラ６０、６２、４５へ駆動力を付与するモータを逆転駆動させる。これにより、反転ローラ４５が第１回転向きに回転する。その結果、記録用紙１２は、搬送向き１５の逆向きに搬送される。換言すると、搬送向き１５の上流端が第２搬送路６７側へ向けられた記録用紙１２は、第２搬送路６７へスイッチバック搬送される（Ｓ１００）。スイッチバック搬送された記録用紙１２は、第２搬送路６７を搬送向き１６に搬送される。これ以後、記録用紙１２の先端及び後端が先程までの第１面（表面）への印刷の搬送とは逆になる。つまり、第１面印刷時の記録用紙１２の後端が、スイッチバック搬送される記録用紙１２の先端となり、第１面印刷時の記録用紙１２の先端が、スイッチバック搬送される記録用紙１２の後端となる。
【００６９】
スイッチバック搬送され、第２接続位置３７から再び第１搬送路６５へ搬送された記録用紙１２の先端が搬送ローラ対５９に到達すると（Ｓ１１０）、ステップＳ３０と同様にレジスト処理が実行され（Ｓ１２０）、ステップＳ５０と同様に搬送ローラ６０の回転向きが第２回転向きに切り替えられる（Ｓ１３０）。
【００７０】
なお、本実施形態では、ステップＳ１３０において、搬送ローラ６０、排出ローラ６２、及び反転ローラ４５の回転向きが第２回転向きに回転すると、共に記録用紙１２を挟持する搬送ローラ対５９と反転ローラ対４３とが、記録用紙１２を引っ張り合う状態となる。そこで、本実施形態では、搬送ローラ対５９の搬送力は、反転ローラ対４３の搬送力よりも大きく設定されている。ここで、搬送力とは、ローラ対が記録用紙１２を搬送する力であり、例えばローラ対を構成するローラの回転速度や材質、ローラ対の挟持力などによって決定される。上記設定によって、搬送ローラ対５９の記録用紙１２を搬送する力が、反転ローラ対４３の記録用紙１２を搬送する力よりも大きくなるため、搬送ローラ対５９は、反転ローラ対４３に挟持された記録用紙１２を引き出して、当該記録用紙１２を搬送することができる。
【００７１】
その後、制御部は、第１面に画像記録したときと同様にして、記録用紙１２を印刷開始位置へ搬送して（Ｓ１４０）、記録用紙１２の第２面に画像記録する（Ｓ１５０）。ここで、第２面は第１面の裏面である。第２面に画像記録された記録用紙１２は、搬送向き１５に搬送されて反転ローラ対４３へ導かれる。
【００７２】
このとき、記録用紙１２の先端は、以下に詳述するように、第２下側ガイド部材３２の第１上面３３にガイドされた記録用紙１２の後端によってガイドされながら、反転ローラ対４３へ向けて搬送される。つまり、記録用紙１２の長さＬ１は搬送経路の長さＬ２よりも長い。よって、記録用紙１２の先端が搬送向き１５に搬送されて反転ローラ対４３へ導かれているとき、記録用紙１２の後端は、第１上面３３によってガイドされながら、第２搬送路６７へ向けて搬送されている。つまり、記録用紙１２の先端は、第１上面３３にガイドされた記録用紙１２の後端にガイドされながら、反転ローラ対４３へ向けて搬送される。しかしながら、本実施形態では、図３に示されるように、第１上面３３の傾斜角θ１の角度が角θ２の角度よりも小さい角度である。そのため、記録用紙１２の後端の傾斜角度は小さく維持される。その結果、記録用紙１２の先端の搬送が当該記録用紙１２の後端によって妨げられる可能性は低く抑えられる。
【００７３】
また、本実施形態では、第２面に画像記録された記録用紙１２が反転ローラ対４３へ導かれるとき、第１面に画像記録された記録用紙１２が反転ローラ対４３へ導かれるときと同様にして、経路切替部材４１のフラップ４９は、先端が反転ローラ対４３の挟持位置４３Ａよりも低位置である反転位置に位置している。よって、当該記録用紙１２は、フラップ４９によってガイドされつつ、反転ローラ対４３の挟持位置４３Ａに斜め下側から進入する。その後、記録用紙１２は、反転ローラ対４３を通過して反転ローラ対４３よりも搬送向き１５の下流側に搬送され、排出トレイ２１に排出される（Ｓ１６０）。
【００７４】
［実施形態の効果］
本実施形態によれば、第２面に画像記録された記録用紙１２の先端は、第１下側ガイド部材２８に支持されつつ搬送向き１５に搬送される。一方、反転ローラ対４３に挟持された記録用紙１２の後端付近は、第２下側ガイド部材３２の上面に支持されつつ第２搬送路６７を搬送ローラ対５９に向けて搬送される。
【００７５】
また、本実施形態によれば、第２下側ガイド部材３２は第１上面３３と第２上面３５とを備えており、第１上面３３の、第１下側ガイド部材２９の上面３０に対する傾斜角θ１の角度は、第２上面３５の、第１下側ガイド部材２９の上面３０に対する傾斜角θ２の角度θ２よりも小さい。
【００７６】
これにより、反転ローラ対４３に挟持された記録用紙１２の後端付近は、傾斜角θ１の角度に沿った状態となる。そのため、記録用紙１２の後端付近が反転ローラ対４３へ向けて搬送される記録用紙１２の先端の経路を塞ぐ可能性を低くすることができる。その結果、当該記録用紙１２の先端を適正に反転ローラ対４３による挟持位置へ進入させることができる。また、第２接続位置３７付近において、第２搬送路６７に面したガイド面の傾斜角θ２の大きさが傾斜角θ１よりも大きいことにより、第２搬送路６７と第１搬送路６５とからなる経路の曲率半径を大きく維持することができる。
【００７７】
以上より、本実施形態によれば、記録用紙１２を第２搬送路６７へ導くための反転ローラ対４３を構成する一対のローラ４５、４６を離間させることなく、記録用紙１２の後端付近が挟持された反転ローラ対４３に記録用紙１２の先端を進入させることができる。
【００７８】
また、本実施形態によれば、第２面に画像記録された記録用紙１２の先端は、経路切替部材４１に上側から押さえられつつ反転ローラ対４３の挟持位置４３Ａへ導かれる。つまり、記録用紙１２の先端は、反転ローラ対４３の挟持位置４３Ａよりも下側から当該挟持位置４３Ａへ導かれる。ここで、第１面に画像記録された記録用紙１２の先端が第２搬送路６７を経てから第２面に画像記録されて反転ローラ対４３付近まで搬送されてきた際に、記録用紙１２の後端が反転ローラ対４３から抜けきっていない状態では、記録用紙１２の後端付近は、反転ローラ対４３に挟持されつつ第２搬送路６７へ搬送されている。これにより、反転ローラ対４３の挟持位置４３Ａよりも下側、つまり第２搬送路６７に近い側に位置する記録用紙１２の先端は、記録用紙１２の後端付近の記録面に沿って反転ローラ対４３による挟持位置へ導かれる。つまり、本構成によれば、記録用紙１２の先端を記録用紙１２の後端付近に沿わせることによって反転ローラ対４３の挟持位置４３Ａへ容易に進入させることができる。
【００７９】
また、本実施形態によれば、経路切替部材４１のフラップ４９を反転位置に維持することによって、記録用紙１２の先端を記録用紙１２の後端付近に沿わせて反転ローラ対４３の挟持位置４３Ａへ容易に進入させることができるという上述した効果を奏することができる。一方、記録用紙１２が搬送ローラ対５９及び反転ローラ対４３に挟持されているときに、フラップ４９が排出位置に移動することによって、記録用紙１２に対するフラップ４９の抵抗が反転位置のときよりも小さくなり、スムーズに搬送することができる。また、記録用紙１２の後端付近のみがフラップ４９の補助ローラ４８と当接されているときに、フラップ４９を反転位置に移動させることによって、記録用紙１２を反転ローラ対４３によって第２搬送路６７へ導くことができる。
【００８０】
また、本実施形態によれば、搬送ローラ対５９が記録用紙１２を挟持して搬送する力が反転ローラ対４３が記録用紙１２を挟持して搬送する力よりも大きい。そのため、記録用紙１２の先端が第２搬送路６７を経て搬送ローラ対５９に挟持されたときに、記録用紙１２の後端付近が反転ローラ対４３に挟持された状態であっても、記録用紙１２の後端を反転ローラ対４３から容易に引き抜いて、当該記録用紙１２を適正に搬送することができる。
【００８１】
また、本実施形態によれば、第１下側ガイド部材２９の上面３０が反転ローラ対４３の挟持位置４３Ａよりも低位置である。そのため、第２面に画像記録された記録用紙１２の先端は、第１下側ガイド部材２９に支持されつつ、反転ローラ対４３の挟持位置４３Ａよりも下側から当該挟持位置４３Ａへ導かれる。ここで、第１面に画像記録された記録用紙１２の先端が第２搬送路６７を経てから第２面に画像記録されて反転ローラ対４３付近まで搬送されてきた際に、記録用紙１２の後端が反転ローラ対４３から抜けきっていない状態では、記録用紙１２の後端付近は、反転ローラ対４３に挟持されつつ第２搬送路６７へ搬送されている。これにより、反転ローラ対４３の挟持位置４３Ａよりも下側、つまり第２搬送路６７に近い側に位置する記録用紙１２の先端は、記録用紙１２の後端付近の記録面に沿って反転ローラ対４３の挟持位置４３Ａへ導かれる。つまり、本実施形態によれば、記録用紙１２の先端を記録用紙１２の後端付近に沿わせることによって反転ローラ対４３の挟持位置４３Ａへ容易に進入させることができる。
【００８２】
また、本実施形態によれば、排出ローラ対６６が記録用紙１２を挟持して搬送する力は、反転ローラ対４３が記録用紙１２を挟持して搬送する力よりも強い。そのため、本実施形態によれば、排出ローラ対６６によって搬送向き１５に搬送されて反転ローラ対４３に到達した記録用紙１２の先端を、反転ローラ対４３の挟持位置４３Ａへ容易に押し込むことができる。また、記録用紙１２の先端が排出ローラ対６６に挟持されたときに、記録用紙１２の後端付近が反転ローラ対４３に挟持された状態であっても、記録用紙１２の後端を容易に反転ローラ対４３から引き抜くことができる。
【００８３】
また、本実施形態のように搬送路６５、６７及び各ローラ対５９、６６、４３が配置されていることにより、記録部２４の直下で記録用紙１２が重なることなく、記録用紙１２に画像を記録することができる。
【００８４】
［変形例１］
変形例１では、図６に示されるように、再搬送ローラ６８及び従動ローラ６９よりなる再搬送ローラ対７０が、第２搬送路６７に配置されている。モータ（不図示）から駆動力を付与された再搬送ローラ６８は、記録用紙１２を第２搬送路６７に沿って搬送向き１６に搬送する向きに回転する。反転ローラ対４３によって第２搬送路６７に搬送されてきた記録用紙１２が再搬送ローラ対７０に挟持されると、記録用紙１２は、再搬送ローラ対７０によって搬送向き１６に搬送される。これにより、当該記録用紙１２は、第２接続位置３７を経て搬送ローラ対５９へ向けて搬送される。
【００８５】
そして、変形例１では、図７に示されるように、第２下側ガイド部材３２は、角θ１の角度が角θ３の角度よりも小さくなるように構成されている。ここで、角θ３は、プリンタ部１１を左側または右側から見た側面視（図７は左側から見た側面視）において、反転ローラ対４３による記録用紙１２の挟持位置４３Ａと再搬送ローラ対７０による記録用紙１２の挟持位置７０Ａとを結ぶ直線８８の、第１下側ガイド部材２９の上面３０に対する傾斜角である。
【００８６】
変形例１において、反転ローラ対４３と再搬送ローラ対７０との間における第２下側ガイド部材３２の第１上面３３の、第１下側ガイド部材２９の上面３０に対する傾斜角度θ１は、上述の実施形態と同様に、小さく構成されている。これにより、反転ローラ対４３に挟持された記録用紙１２の後端付近は、当該傾斜角度θ１に沿った状態となる。その結果、当該記録用紙１２の後端付近が反転ローラ対４３へ向けて搬送される当該記録用紙１２の先端の経路を塞ぐことを防止することができる。
【００８７】
［変形例２］
上述の実施形態では、各ガイド部材２９、３２は、それぞれ単一の平面である上面３０、第１上面３３、第２上面３５をガイド面として有していた。しかし、各ガイド部材１８、１９、２８、２９、３１、３２のガイド面は、単一の平面に限らない。例えば、各ガイド部材１８、１９、２８、２９、３１、３２は、第１搬送路６５及び第２搬送路６７に沿って延び且つ左右方向９に所定間隔を空けて形成されて複数のリブ（不図示）によって形成されていてもよい。この場合、複数のリブの搬送路６５、６７側の頂部を全て含む仮想面が、ガイド面として機能する。
【００８８】
［変形例３］
上述の実施形態では、経路切替部材４１のフラップ４９が回動したが、経路切替部材４１が回動せずに固定されていてもよい。この場合、経路切替部材４１の下端が、反転ローラ対４３の挟持位置４３Ａよりも下側まで突出されている位置で固定されている。
【００８９】
［変形例４］
図８に示されるように、反転ローラ対４３よりも搬送向き１５の下流側には、給送トレイ２０及び排出トレイ２１が収容されている開口１３の一部を形成する第３上側ガイド部材３４が設けられており、当該上側ガイド部材３４の下面２７が図８に示す形状であってもよい。第３ガイド部材３４は、上述の実施形態で述べた各ガイド部材１８、１９、２８、２９、３１、３２と同様に、図８における紙面に垂直な方向、つまり左右方向９に延びている。
【００９０】
第３上側ガイド部材３４は、角θ４の角度が角θ１の角度よりも大きくなるように構成されている。ここで、角θ４は、第３上側ガイド部材３４の下面２７の、第１下側ガイド部材２９の上面３０に対する傾斜角である。
【００９１】
記録用紙１２が第２下側ガイド部材３２の第１上面３３に支持された状態で反転ローラ対４３に挟持されると、傾斜した第１上面３３に支持された記録用紙１２は、反転ローラ対４３よりも搬送向き１５の下流側において、第１上面３３の傾斜角度（角θ１の角度）に沿って上側に延びた状態となる。これにより、反転ローラ対４３よりも搬送向き１５の下流側において、記録用紙１２が、記録用紙１２よりも上側に配置されたガイド部材に引っかかるおそれがある。そこで、変形例４では、第３上側ガイド部材３４の下面２７の傾斜角度が第２下側ガイド部材３２の第１上面３３の傾斜角度以上の角度、つまり角θ４の角度に構成されている。これにより、反転ローラ対４３よりも搬送向き１５の下流側において空間が確保されるため、記録用紙１２が第３上側ガイド部材３４に引っかかる可能性を低くすることができる。
【００９２】
［変形例５］
上述の実施形態では、第２搬送路６７は、図２に示されるように、排出ローラ対６６よりも搬送向き１５の下流側且つ反転ローラ対４３よりも搬送向き１５の上流側の第１接続位置３６から分岐され、搬送ローラ対５９よりも搬送向き１５の上流側の第２接続位置３７で第１搬送路６５と合流していた。しかし、第２搬送路６７は、記録ヘッド３８と対向する記録用紙１２の面を表裏逆とすることを目的とする経路であるため、当該目的が達成されるのであれば、第２搬送路６７は上述の実施形態で説明されたもの、具体的には図２に示されたものに限らない。
【００９３】
例えば、図９に示されるように、第１搬送路６５における搬送ローラ対５９と記録部２４との間に反転ローラ対４３が配置されており、第２搬送路６７は、搬送ローラ対５９よりも搬送向き１５の下流側且つ反転ローラ対４３よりも搬送向き１５の上流側の位置、及び搬送ローラ対５９よりも搬送向き１５の上流側の位置において、第１搬送路６５と接続されていてもよい。図９の場合において、上述の実施形態と同様に、角θ２の角度は角θ１の角度よりも大きい。なお、図９においては、搬送ローラ対５９と反転ローラ対４３との間の第１上側ガイド部材に設けられている経路切替部材４１の図示は省略されている。
【００９４】
また、図９の例では、給送トレイ２０に載置された記録用紙１２は、矢印６８で示された経路を経て、搬送ローラ対５９に導かれる。搬送ローラ対５９から反転ローラ対４３に搬送され、反転ローラ対４３によって記録部２４と対向する位置に搬送された記録用紙１２は、記録部２４によって第１面に画像記録される。第１面で画像記録が終了する場合は、記録用紙１２は排出ローラ対６６によって排出される。一方、第２面にも画像を記録する場合は、記録用紙１２は排出ローラ対６６によって記録部２４の直下を通って反転ローラ対４３に戻される。次に、記録用紙１２は、反転ローラ対４３によって第２搬送路６７にスイッチバック搬送され、搬送向き１６（図９に二点鎖線の矢印で示されている。）に搬送される。記録用紙１２の先端が搬送ローラ対５９に到達すると、記録用紙１２は搬送ローラ対５９によって搬送向き１５に搬送される。このとき、反転ローラ対４３の回転向きも切り替えられ、記録用紙１２を搬送向き１５へ搬送する向きに回転される。この際、搬送ローラ対５９と反転ローラ対４３とによって記録用紙１２の引っ張り合いが発生するが、搬送ローラ対５９の方が反転ローラ対４３よりも駆動力が大きいため、記録用紙１２を搬送向き１５に搬送することができる。これにより、記録用紙１２は、表裏逆となった状態で、再び反転ローラ対４３に導かれる。この際、上述の実施形態と同様に、記録用紙１２の先端は、第１上面３３にガイドされた記録用紙１２の後端にガイドされながら、反転ローラ対４３へ向けて搬送される。次に、反転ローラ対４３によって記録部２４と対向する位置に搬送された記録用紙１２は、記録部２４によって第２面に画像記録される。その後、記録用紙１２は、排出ローラ対６６によって排出される。
【００９５】
また、変形例５において、図９に破線で示されるように、変形例１と同様に再搬送ローラ対７０が第２搬送路６７に配置されていてもよい。
【００９６】
そして、変形例５において、変形例１と同様に、第２下側ガイド部材３２は、角θ１の角度が角θ３の角度よりも小さくなるように構成されている。ここで、角θ３は、プリンタ部１１を左側または右側から見た側面視（図９は左側から見た側面視）において、反転ローラ対４３による記録用紙１２の挟持位置４３Ａと再搬送ローラ対７０による記録用紙１２の挟持位置７０Ａとを結ぶ直線８８の、第１下側ガイド部材２９の上面３０に対する傾斜角である。このように構成されることにより、変形例５においても変形例１と同様の効果を奏することができる。
【符号の説明】
【００９７】
１０・・・複合機
１２・・・記録用紙
１５・・・搬送向き
２４・・・記録部
２８・・・第１上側ガイド部材
２９・・・第１下側ガイド部材
３１・・・第２上側ガイド部材
３２・・・第２下側ガイド部材
４３・・・反転ローラ対
５９・・・搬送ローラ対
６５・・・第１搬送路
６７・・・第２搬送路
【図１】
2014047055.tif 000003
【図２】
2014047055.tif 000004
【図３】
2014047055.tif 000005
【図４】
2014047055.tif 000006
【図５】
2014047055.tif 000007
【図６】
2014047055.tif 000008
【図７】
2014047055.tif 000009
【図８】
2014047055.tif 000010
【図９】
2014047055.tif 000011